(57)【要約】【課題】  ワンボックスカーやミニバンタイプの乗用車における２列目及び３列目の座席シート前に敷設する自動車用トレーマットとして、敷設状態のまま取り外さずに座席シートを前進可能とし、脱着の手間を省けて保管場所も不要となるものを提供する。【解決手段】  可撓性材料にて構成されて周縁２〜５が高くなったトレー形をなし、左右縁部４，５を含む左右方向全長にわたって連続する蛇腹状の折り曲げ部６，７が形成され、床面に敷設した状態で、折り曲げ部６，７を上面谷折りに折り曲げて前後幅を小さくできるように構成されている。【選択図】  図１
2006248376.tif 000002
【特許請求の範囲】
【請求項１】
可撓性材料にて構成されて周縁が高くなったトレー形をなし、その左右縁部を含む左右方向全長にわたって連続する蛇腹状の折り曲げ部が形成され、
床面に敷設した状態で、前記折り曲げ部を上面谷折りに折り曲げて前後幅を小さくできるように構成されてなる自動車用トレーマット。
【請求項２】
前記折り曲げ部が前後二箇所に形成され、両折り曲げ部での折り曲げによって側面視略３角形の折り付け形態となる請求項１記載の自動車用トレーマット。
【請求項３】
全体が軟質合成樹脂又はゴムからなる左右方向に長い略矩形の一体成形物である請求項１又は２に記載の自動車用トレーマット。
【請求項４】
左右縁部が畝状の盛り上がり形状を有してなる請求項１〜３のいずれかに記載の自動車用トレーマット。
【請求項５】
下面側に多数の小突起を有してなる請求項１〜４のいずれかに記載の自動車用トレーマット。
【発明の詳細な説明】
【技術分野】
【０００１】
この発明は、自動車の床面、特にワンボックスカーやミニバンタイプの乗用車における２列目及び３列目の座席シートの前の床面や最後部のラゲッジ（荷置き部）床面に敷設するのに好適な自動車用トレーマットに関する。
【背景技術】
【０００２】
一般に乗用車の床部は、フェルト状の床張り上にカーペット状のマットが敷設されるが、これらの繊維間に履物に付いた土や砂が入り込んで汚れ易く、特に降雨時には泥土が付着したり靴裏や傘からの水が滲み込むという問題がある。そこで、近年においては、該床部の汚れ防止と共に水分の滲み込みを防ぐものとして、周縁が高くなったトレー形をなす所謂トレーマットが登場している（例えば特許文献１〜４）。
【０００３】
ところが、ワンボックスカーやミニバンタイプの乗用車では、後部側の使用形態を変換できるように、２列目及び３列目の座席シートがその前列の座席シートに接近する位置まで前進可能になったものが多いが、これら２列目及び３列目の座席シートの前の床面にトレーマットを敷設した場合、従来では座席シートの前進時に該トレーマットを取り外す必要があったため、その脱着に非常に手間がかかる上、取り外したトレーマットの保管に場所をとるという難点があった。
【特許文献１】特許第３４３５４５１号公報
【特許文献２】特開２００２−３６２２０９号公報
【特許文献３】実公平５−３３３８７号公報
【特許文献３】実用新案登録第２５８２１４０号公報
【発明の開示】
【発明が解決しようとする課題】
【０００４】
この発明は、上述の事情に鑑みて、特にワンボックスカーやミニバンタイプの乗用車における２列目及び３列目の座席シートの前の床面に敷設する自動車用トレーマットとして、敷設状態のまま取り外さずにこれら座席シートを前進可能とし、もって脱着の手間を省けると共に保管場所も不要となるものを提供することを目的としている。
【課題を解決するための手段】
【０００５】
上記目的を達成するために、この発明の請求項１に係る自動車用トレーマットは、可撓性材料にて構成されて周縁が高くなったトレー形をなし、その左右縁部を含む左右方向全長にわたって連続する蛇腹状の折り曲げ部が形成され、床面に敷設した状態で、前記折り曲げ部を上面谷折りに折り曲げて前後幅を小さくできるように構成されている。
【０００６】
また、この自動車用トレーマットの好適態様として、請求項２の発明は前記折り曲げ部が前後二箇所に形成され、両折り曲げ部での折り曲げによって側面視略３角形の折り付け形態となる構成、請求項３の発明は全体が軟質合成樹脂又はゴムからなる左右方向に長い略矩形の一体成形物である構成、請求項４の発明は左右縁部が畝状の盛り上がり形状を有してなる構成、請求項５の発明は下面側に多数の小突起を有してなる構成、をそれぞれ採用している。
【発明の効果】
【０００７】
請求項１の発明によれば、自動車用トレーマットは、折り曲げによって敷設状態での前後幅を小さくできるから、特にワンボックスカーやミニバンタイプの乗用車における２列目及び３列目の座席シートの前の床面に敷設後、これら座席シートを前進させる際に折り曲げるだけで済み、もって取り外しと再敷設の手間が要らず、取り外し状態での保管場所を確保する必要がないので車内空間を広く使えるという利点がある。しかして、折り曲げ部が左右縁部を含む左右方向全長にわたって連続する蛇腹状になっているから、該左右縁部がトレーマットとして高くなった形であるにも関わらず、折り曲げ操作を小さい力で極めて容易に行える。
【０００８】
請求項２の発明によれば、自動車用トレーマットが２箇所での折り曲げによってよりコンパクトな折り付け形態になる。
【０００９】
請求項３の発明によれば、上記の自動車用トレーマットとして、特にワンボックスカーやミニバンタイプの乗用車における２列目及び３列目の座席シートの前の床面に敷設するのに適して、且つ製作容易なものが提供される。
【００１０】
請求項４の発明によれば、該自動車用トレーマットの左右縁部が畝状の盛り上がり形状になっているから、側方からの乗降において足元が左右縁部に引っ掛かってつまづくのを防止でき、乗降の安全性が向上する。
【００１１】
請求項５の発明によれば、自動車用トレーマットは、下面側の多数の小突起が下地になったフェルト状の床張りやカーペット状のマット表面の繊維に食い込むから、敷設状態での位置ずれを生じにくく、もって踏みしめた足の安定性がよく、乗降の安全性もより向上する。
【発明を実施するための最良の形態】
【００１２】
以下、この発明に係る自動車用トレーマットの一実施形態について、図面を参照して具体的に説明する。図１は該トレーマットの斜視図、図２は同左半部の平面図、図３（Ａ）は同側面図、図３（Ｂ）は図２のイ−イ線の断面矢視図、図４は図２のロ−ロ線の断面矢視図である。
【００１３】
この自動車用トレーマットＭは、図１及び図２に示すように左右方向に長い略矩形のトレー形で、全体が軟質合成樹脂又はゴムの一体成形物からなっており、主面部１より高くなった前後縁部２，３が図３（Ｂ）の如く縦断面略逆Ｌ字形をなすのに対し、同じく主面部１より高くなった左右縁部４，５が図４の如く縦断面略半円弧の畝状をなしている。
【００１４】
そして、該自動車用トレーマットＭの前後２箇所に、それぞれ左右全長つまり直線状に主面部１を横切って左右縁部４，５の端縁に至る折り曲げ部６，７が形成されている。これら折り曲げ部６，７は、図３（Ａ）（Ｂ）の如く、前後方向には複数波（図では３波）の波形となる薄肉の蛇腹状に形成されている。
【００１５】
また、主面部１の上面側には、滑り止めとして、両折り曲げ部６，７間の中央領域１ａでは前後方向に沿い、両折り曲げ部６，７より外側の前後領域１ｂ，１ｃでは互いに左右逆の斜め方向に沿う多数の幅広凸部８ａ…と幅狭凸部８ｂ…が交互に配列している。しかして、図３（Ｂ）及び図４に示すように、これら凸部８ａ，８ｂは下面側では凹部をなすと共に、上面側で凸部８ａ…，８ｂ…周りの溝状凹部をなす下面凸部領域１ｄの要所には多数の小突起９…が形成されている。
【００１６】
なお、図４に示すように、幅広凸部８ａの下面側には、補強用として幅方向中央線に沿う凸条部１０を有している。更に、前後縁部２，３の立ち上がり部分も補強のために内外に交互に突出した凹凸状になっている。しかして、このトレーマットＭは全体が左右対称形に設定されている。
【００１７】
上記構成の自動車用トレーマットＭは、例えば図５（Ａ）に示すように、ワンボックスカーやミニバンタイプの乗用車における２列目や３列目で、前列の座席シートＳ０に対して近接する位置まで移動可能な座席シートＳ１の前の床面Ｆに敷設することにより、該床面Ｆのフェルト状の床張りやカーペット状マット（図示省略）が履物に付いた土や砂、泥で汚れるのを防止すると共に、トレー形態であることにより、降雨時の靴裏や傘からの水を受け止めて溜め、床面Ｆへの水の滲み込みを防止する機能を果たす。
【００１８】
そして、車内後部側の使用形態を変換するために座席シートＳ１を前列の座席シートＳ０の近傍まで前進させる場合は、まず敷設している自動車用トレーマットＷを後側折り曲げ部７で図中の矢印ａの如く上面谷折りに折り曲げて、後部を仮想線のように引き起こし、次いで前側折り曲げ部６で図中の矢印ｂの如く上面谷折りに折り曲げて、中間部を仮想線のように引き起こした上で、座席シートＳ１を前進させる。これにより、該トレーマットＭは、図５（Ｂ）に示すように、前後幅が小さい側面視略三角形の折り付け形態になるから、前進した座席シートＳ１の前部下方の空間に納まる。また、図５（Ｂ）の状態から座席シートＳ１を元の後退位置へ戻せば、自動車用トレーマットＭは弾性復元力によって自動的に展開して図５（Ａ）の実線で示す元の平坦状態に戻る。
【００１９】
従って、この自動車用トレーマットＭでは、不使用時の取り外しと再敷設の手間が全く要らず、また取り外し状態での保管場所を確保する必要がなく、それだけ車内空間を広く使えることになる。しかも、このトレーマットＭは、トレー形態として左右両縁部４，５が主面部１より高く盛り上がっているが、蛇腹状の折り曲げ部６，７が両縁部４，５を含む左右方向全長にわたって形成されているから、その折り曲げ操作を小さい力で容易に行える。
【００２０】
また、この自動車用トレーマットＭは、左右縁部４，５が畝状の盛り上がり形状になっているから、乗降の安全性が向上する。すなわち、従来の一般的なトレーマットでは、図６に示すように平坦部Ｌの周縁より立ち上がった縁部Ｅの端縁が高い位置にあるから、側方からの乗降において足元が左右の縁部Ｅに引っ掛かり易く、つまずいて転倒する危険がある。しかるに、この自動車用トレーマットＭでは、左右縁部４，５が畝状になり、その端縁４ａ，５ａが低い位置にくるから、足元が引っ掛かりにくく、つまずいて転倒する恐れがない。また、敷設状態の該トレーマットＭは、下面側の多数の小突起９…が下地になった床面Ｆのフェルト状の床張りやカーペット状マット表面の繊維に食い込むから、足踏みで横滑り方向に力が加わっても位置ずれを生じにくく、もって踏みしめた足の安定性がよく、乗降の安全性もより良好となる。
【００２１】
なお、このような自動車用トレーマットＭは、サイズが合えば、折り曲げを必要としない自動車内の他の部位、例えば最後部のラゲッジ（荷置き部）床面等に敷設することも可能である。
【００２２】
この発明の自動車用トレーマットは、上記実施形態として例示したものに限らず、左右方向全長にわたる蛇腹状の折り曲げ部が一箇所のみである構成や３箇所以上である構成も包含する。ただし、前記実施形態のように前後２箇所の折り曲げ部を有する構成では、折り曲げ操作が容易であると共に、側面視略三角形の折り付け形態として前進した座席シートの前部下に納まり易いという利点がある。
【００２３】
また、この自動車用トレーマットは可撓性材料からなって表面部が防水性を持つものであればよく、合成樹脂シートに繊維シート等を裏打ちした積層形態等も採用可能であるが、製造コスト面や洗浄性の面から軟質合成樹脂やゴムの一体成形物が推奨される。
【００２４】
その他、この発明の自動車用トレーマットにあっては、主面部１における滑り止めの凹凸パターン、前後縁部２，３の凹凸及び断面形状、下面側の小突起９…の配置等、細部構成については実施形態以外に種々設計変更可能である。
【図面の簡単な説明】
【００２５】
【図１】この発明の一実施形態に係る自動車用トレーマットの斜視図である。
【図２】同トレーマットの左半部の平面図である。
【図３】同トレーマットの側面形状を示し、（Ａ）図は右側面図、（Ｂ）図は図２のイ−イ線の断面矢視図である。
【図４】図２のロ−ロ線の断面矢視図である。
【図５】同トレーマットの敷設状態を示し、（Ａ）図は平坦形態とした使用時の概略側面図、（Ｂ）図は折り付け形態とした不使用時の概略側面図である。
【図６】従来の自動車用トレーマットの側縁近傍の縦断側面図である。
【符号の説明】
【００２６】
１  ・・・主面部
２  ・・・前縁部（周縁）
３  ・・・後縁部（周縁）
４  ・・・左縁部
５  ・・・右縁部
６  ・・・前側折り曲げ部
７  ・・・後側折り曲げ部
９  ・・・小突起
Ｆ  ・・・床面
Ｍ  ・・・自動車用トレーマット
Ｓ０・・・前列の座席シート
Ｓ２・・・移動可能な座席シート
【図１】
2006248376.tif 000003
【図２】
2006248376.tif 000004
【図３】
2006248376.tif 000005
【図４】
2006248376.tif 000006
【図５】
2006248376.tif 000007
【図６】
2006248376.tif 000008